(57)【要約】【課題】例えば、マルチレーザ光源を用いた場合でも、例えばＤＶＤ側における光ディスク上の光スポットサイズを十分に小さく絞る事ができるＤＶＤ再生／ＣＤ記録またはＤＶＤ／ＣＤ両記録に対応した光ピックアップ装置を提供する。【解決手段】中心部付近に比べて外縁部付近の方が波長６５０ｎｍ帯の光ビームに対する透過率の高い光学フィルタ素子を光ピックアップ装置に搭載する。または中心部付近では格子溝幅を格子周期の半分の長さに近づけ、外縁部付近では格子溝幅を格子周期の半分の長さから遠ざけた３スポット用回折格子を光ピックアップ装置に搭載する。【選択図】図１
2004295954.tif 000002
【特許請求の範囲】
【請求項１】
互いに発振波長の異なる第１のレーザ光源および第２のレーザ光源と、前記第１のレーザ光源から出射した第１の光ビームまたは前記第２のレーザ光源から出射した第２の光ビームを光ディスクに集光させる対物レンズとを搭載した光ピックアップ装置において、前記第１または前記第２のレーザ光源を出射した前記第１または前記第２の光ビームが前記光ディスクに向かう光路中に、前記第１の光ビームの中心部近傍が入射する領域における透過率より外縁部近傍が入射する領域における透過率が高く、かつ前記第２の光ビームが入射する全領域にわたって略一定の透過率を有する光学フィルタ素子を備えた光ピックアップ装置。
【請求項２】
互いに発振波長の異なる第１のレーザ光源および第２のレーザ光源と、前記第１のレーザ光源から出射した第１の光ビームまたは前記第２のレーザ光源から出射した第２の光ビームを光ディスクに集光させる対物レンズとを搭載した光ピックアップ装置において、前記第１または前記第２のレーザ光源を出射した前記第１または前記第２の光ビームが前記光ディスクに向かう光路中に、前記第１の光ビームの中心部近傍が入射する領域における反射率より外縁部近傍が入射する領域における反射率が高く、かつ前記第２の光ビームが入射する全領域にわたって略一定の反射率を有する光学フィルタ素子を備えた光ピックアップ装置。
【請求項３】
請求項１又は請求項２に記載の光ピックアップ装置において、前記光学フィルタ素子は誘電体多層膜によって構成されることを特徴とする光ピックアップ装置。
【請求項４】
請求項１乃至３のいずれか一つに記載の光ピックアップ装置において、前記光学フィルタ素子の領域のうち、前記第１の光ビームの中心部近傍が通過する領域と、前記第１の光ビームの外縁部近傍が通過する領域との間の領域における前記第１の光ビームに対する透過率は、１段階以上の多段階もしくは連続的に変化することを特徴とする光ピックアップ装置。
【請求項５】
請求項１乃至４のいずれか一つに記載の光ピックアップ装置において、前記回折格子は、前記対物レンズの直下に配置されたことを特徴とする光ピックアップ装置。
【請求項６】
互いに発振波長の異なる第１のレーザ光源および第２のレーザ光源と、前記第１のレーザ光源から出射した第１の光ビームまたは前記第２のレーザ光源から出射した第２の光ビームを光ディスクに集光させる対物レンズとを搭載した光ピックアップ装置において、前記第１または前記第２のレーザ光源を出射した前記第１または前記第２の光ビームが前記光ディスクに向かう光路中に、前記第１の光ビームの中心部近傍が通過する領域に比べて前記第１の光ビームの外縁部近傍が通過する領域における１次回折光の回折効率が低く、かつ前記第２の光ビームが入射する全領域にわたって該第２の光ビームに対する１次回折光の回折効率が略一定の回折効率である回折格子を備えた光ピックアップ装置。
【請求項７】
請求項６に記載の光ピックアップ装置において、前記回折格子は、
前記回折格子の溝深さをｈ、該回折格子を刻んでいる透明部材の屈折率をｎ、前記第２の光ビームの波長をλとすると、任意の自然数ｍを用いて
【数１】
2004295954.tif 000004
を満たし、かつ該回折格子の領域のうち、前記第１の光ビームの中心部近傍が通過する領域での格子溝幅と、前記第１の光ビームの外縁部近傍が通過する領域での格子溝幅とが互いに異なることを特徴とする光ピックアップ装置。
【請求項８】
請求項６又は請求項７に記載の光ピックアップ装置において、前記回折格子は、さらに、前記回折格子の領域のうち、前記第１の光ビームの中心部近傍が通過する領域での格子周期をｐ１、格子溝幅をｗ１とし、前記第１の光ビームの外縁部近傍が通過する領域での格子周期をｐ２、格子溝幅をｗ２とすると、
【数２】
2004295954.tif 000005
を満たす事を特徴とする光ピックアップ装置。
【請求項９】
請求項６乃至８のいずれか一つに記載の光ピックアップ装置において、前記回折格子は、前記第１の光ビームの中心部近傍が通過する領域と、前記第１の光ビームの外縁部近傍が通過する領域との間の領域における格子溝幅は、１段階以上の多段階もしくは連続的に変化することを特徴とする光ピックアップ装置。
【請求項１０】
請求項６乃至９のいずれか一つに記載の光ピックアップ装置において、さらに、前記第１または前記第２のレーザ光源を出射した前記第１または前記第２の光ビームが前記光ディスクに向かう光路中に、前記第１の光ビームが入射する全領域にわたって該第１の光ビームに対する１次回折光の回折効率を略一定の回折効率に設定している第２の回折格子を有することを特徴とする光ピックアップ装置。
【請求項１１】
請求項６乃至１０のいずれか一つに記載の光ピックアップ装置において、前記回折格子は、前記対物レンズの直下に配置されたことを特徴とする光ピックアップ装置。
【請求項１２】
請求項１乃至１１のいずれか一つに記載の光ピックアップ装置において、前記第１のレーザ光源と前記第２の半導体レーザ光源は同一の筐体内に収納されたマルチレーザ光源であることを特徴とする光ピックアップ装置。
【請求項１３】
請求項１乃至１２のいずれか一つに記載の光ピックアップ装置において、前記第１の光ビームの波長は略６５０ｎｍ乃至６７０ｎｍであり、前記第２の光ビームの波長は略７７０ｎｍ乃至８００ｎｍである事を特徴とする光ピックアップ装置。
【請求項１４】
請求項１乃至１３のいずれか一つに記載の光ピックアップ装置において、光学系の倍率は略４．０乃至５．０倍である事を特徴とする光ピックアップ装置。
【請求項１５】
請求項１乃至１４のいずれか一つに記載の光ピックアップ装置を搭載した光ディスク装置。
【発明の詳細な説明】
【０００１】
【発明の属する技術分野】
本発明はＤＶＤやＣＤのように、記録密度の異なる複数の光ディスクに対応した記録再生用光ピックアップ装置に関するものであり、かつＤＶＤ用レーザとＣＤ用レーザのように、互いに発振波長の異なるレーザを同一の筐体内に収納したマルチレーザ光源を搭載した光ピックアップ装置並びに、該光ピックアップ装置を搭載した光ディスク装置に関するものである。
【０００２】
【従来の技術】
ＣＤに比べて、ＤＶＤは極めて高密度に信号を記録するため、良好な記録・再生特性を得るためには、光ディスク上の光スポットサイズを十分に小さく絞る必要がある。ここで光スポットのサイズを小さく絞るためには対物レンズの開口数を大きくするか、ＤＶＤ光学系の倍率を高く設定する必要がある。なお、ここにいう倍率とは図１６に示すように、符号３０に示す集光光学系における焦点距離に対する、符号３１に示すコリメート光学系における焦点距離の比である。（以降、集光光学系の焦点距離に対するコリメート光学系の焦点距離の比を単に倍率と述べる事にする。また図１６には図示しないが、コリメート光学系は単一のレンズだけに限定されず、複数のレンズを用いて構成しても良い。この場合は、これら複数のレンズによる合成焦点距離がコリメート光学系の焦点距離となる。）
一方、ＣＤは光ディスク上の光スポットのサイズに対する制約よりも、むしろ光ディスク上に照射するレーザパワーが重要であり、ＣＤ−ＲやＣＤ−ＲＷの記録では高速記録に対応するため、大きなレーザパワーを光ディスク上に照射する必要がある。よってＣＤ光学系ではＤＶＤ光学系に比べて倍率を低く設定して、光学系の光利用効率を高くする必要があった。このような背景から、従来、ＤＶＤ再生／ＣＤ記録またはＤＶＤ／ＣＤ両記録に対応した光ピックアップ装置においては、例えばＤＶＤ光学系の倍率は略６．０倍乃至略７．０倍、ＣＤ光学系の倍率は略４．０倍乃至略５．０倍が最適な設計値とされており、互いに異なる倍率にするのが一般的であった。
【０００３】
そのため光ピックアップ装置においては、ＤＶＤ光学系またはＣＤ光学系のコリメート光学系を各々、複数のレンズを用いて構成する事で互いに異なる倍率を実現していた（例えば特許文献１等参照）。
【０００４】
【特許文献１】
特開２００２−２３７０８６
【０００５】
【発明が解決しようとする課題】
しかしながらＤＶＤ用レーザとＣＤ用レーザを同一の筐体内に収納したマルチレーザ光源を用いてＤＶＤ再生／ＣＤ記録またはＤＶＤ／ＣＤ両記録に対応した光ピックアップ装置を実現する場合は、ＤＶＤとＣＤの光学系が全て共通となるため、ＤＶＤ／ＣＤ共に同一の倍率にせざるを得ない。そのため、ＣＤ光学系で最適となる略４．０倍乃至略５．０倍の倍率に設定すると、ＤＶＤ側にとっては倍率が低いため、光ディスク上の光スポットサイズを十分に小さく絞る事が出来ない。よって従来、マルチレーザ光源を用いてＤＶＤ再生／ＣＤ記録またはＤＶＤ／ＣＤ両記録に対応した光ピックアップ装置を実現する事は困難であった。
【０００６】
本発明は、上記問題を鑑みなされたものであり、マルチレーザ光源を用い、かつ光学系の倍率が例えば略４．０倍乃至略５．０倍と従来のＤＶＤ光学系の倍率に比べて小さい場合において、ＤＶＤ側における光ディスク上の光スポットサイズを、従来のＤＶＤ光学系の倍率である略６．０倍乃至略７．０倍で絞ったのと同等に小さく絞る事ができるＤＶＤ再生／ＣＤ記録またはＤＶＤ／ＣＤ両記録に対応した光ピックアップ装置を提供することを目的とする。
【０００７】
【課題を解決するための手段】
上記課題を解決するため、本発明は、互いに発振波長の異なる第１のレーザ光源および第２のレーザ光源と、第１のレーザ光源から出射した第１の光ビームまたは第２のレーザ光源から出射した第２の光ビームを光ディスクに集光させる対物レンズとを搭載した光ピックアップ装置において、第１または第２のレーザ光源を出射した第１または第２の光ビームが光ディスクに向かう光路中に、第１の光ビームの中心部近傍が入射する領域における透過率より外縁部近傍が入射する領域における透過率が高く、かつ第２の光ビームが入射する全領域にわたって略一定の透過率を有する光学フィルタ素子を備えた光ピックアップ装置又は光ディスク装置を提供する。
【０００８】
または、互いに発振波長の異なる第１のレーザ光源および第２のレーザ光源と、第１のレーザ光源から出射した第１の光ビームまたは第２のレーザ光源から出射した第２の光ビームを光ディスクに集光させる対物レンズとを搭載した光ピックアップ装置において、第１または第２のレーザ光源を出射した第１または第２の光ビームが光ディスクに向かう光路中に、第１の光ビームの中心部近傍が入射する領域における反射率より外縁部近傍が入射する領域における反射率が高く、かつ第２の光ビームが入射する全領域にわたって略一定の反射率を有する光学フィルタ素子を備えた光ピックアップ装置又は光ディスク装置を提供する。
【０００９】
あるいは、互いに発振波長の異なる第１のレーザ光源および第２のレーザ光源と、第１のレーザ光源から出射した第１の光ビームまたは第２のレーザ光源から出射した第２の光ビームを光ディスクに集光させる対物レンズとを搭載した光ピックアップ装置において、第１または第２のレーザ光源を出射した第１または第２の光ビームが光ディスクに向かう光路中に、第１の光ビームの中心部近傍が通過する領域に比べて第１の光ビームの外縁部近傍が通過する領域における１次回折光の回折効率が低く、かつ第２の光ビームが入射する全領域にわたって第２の光ビームに対する１次回折光の回折効率が略一定の回折効率である回折格子を備えた光ピックアップ装置又は光ディスク装置を提供する。
【００１０】
【発明の実施の形態】
図１は本発明の光ピックアップ装置に関する第１の実施例を示したものである。符号１２は発振波長が６５０ｎｍ帯の半導体レーザ光源、符号１３は発振波長が７８０ｎｍ帯の半導体レーザ光源を表している。
【００１１】
半導体レーザ光源１２を出射した光ビームは、３スポット用回折格子２００ａを通過した後、ビームスプリッタ３ａを反射して、ビームスプリッタ３ｂに入射する。またビームスプリッタ３ｂを透過した後、立ち上げミラー４を反射して、コリメートレンズ５に入射する。コリメートレンズ５によって略平行光となった光ビームは、光学フィルタ素子６に入射する。
【００１２】
同様に半導体レーザ光源１３を出射した光ビームは、３スポット用回折格子２００ｂを通過した後、ビームスプリッタ３ｂ、立ち上げミラー４を反射して、コリメートレンズ５に入射する。コリメートレンズ５によって略平行光となった光ビームは、光学フィルタ素子６に入射する。
【００１３】
ここで図２に示すように、例えば半導体レーザ光源１２を出射する光ビームの強度分布はガウス分布であるため、光学フィルタ素子６に入射する光ビームの強度分布もガウス分布となり、その模式図を符号２０で示す。
【００１４】
本実施例において光学フィルタ素子６は、例えば波長６５０ｎｍ帯の光ビームに対する透過率を場所によって変化させており、中心部付近に比べて外縁部付近の透過率を高く設定している。そのため光学フィルタ素子６を通過した光ビームの強度分布は、符号２１に示すように中心部付近の光強度が低くなる。なお中心部付近の光強度を低くする事で、光学フィルタ素子６を通過した後の光ビームの光強度分布は、通過する前に比べてフラットな状態に近づく。なお光学フィルタ素子６の透過率の領域分割は図３に示すように、多段階的に透過率を変えるものであっても構わないし、または連続的に変化しても構わない。この場合、光学フィルタ素子６を通過した光ビームの強度分布は符号２２に示すように、符号２１に比べて、より滑らかにフラットな状態に近づく。
【００１５】
ここで図４（ａ）および図５（ａ）は対物レンズに入射する光ビームの光強度分布を表し、図４（ｂ）および図５（ｂ）は対物レンズによって絞られた光スポットの光強度分布を表している。
【００１６】
一般に図４（ａ）に示すように、対物レンズに入射する光ビームの光強度分布を実線から破線に示すようにフラットな状態にすると、対物レンズのＲＩＭ強度（対物レンズ中心部における光強度に対する、対物レンズ外縁部における光強度の比）が高くなる。そのため図４（ｂ）に示すように、対物レンズによって絞られた光スポットの光ディスク上における光強度分布は、実線から破線に示す様に変わり、小さく絞ることが出来る。
【００１７】
また図５（ａ）に示すように、対物レンズに入射する光ビームの光強度分布を１点鎖線で表した様に、対物レンズ中心部における光強度よりも対物レンズ外縁部の光強度を高くすると、対物レンズによって絞られた光スポットの光ディスク上の光強度分布は、図５（ｂ）の１点鎖線で表すように変わり、さらに光ディスク上の光スポットを小さく絞ることが出来る。この現象は、広義の意味での超解像として知られており、その内容は例えば信学技報（Ｖｏｌ．９９  Ｎｏ．３３０  ｐ．１５〜ｐ．２０）に詳細に記述されているので、これ以上の詳細な説明は省略する。
【００１８】
本実施例では例えば図２または図３に示したように、波長６５０ｎｍ帯の光ビームに対する光学フィルタ素子６の透過率を、中心部付近に比べて外縁部付近の透過率を高く設定する事で、対物レンズに入射する光ビームの光強度分布をフラットに近づけ、さらには超解像の現象を利用することで、ＤＶＤ側における光ディスク上の光スポットを小さく絞る事を特徴としている。これによって光学系の倍率が低くても、ＤＶＤ側における光ディスク上の光スポットサイズを十分に小さく絞る事ができる。
【００１９】
なお本実施例において、波長７８０ｎｍ帯の光ビームに対する光学フィルタ素子６の透過率は、特に場所によって変化させる必要は無く、例えば波長７８０ｎｍ帯の光ビームを略全透過または略一定の透過率となる様に設定している。このような光学フィルタ素子は、例えば誘電体多層膜によって構成されるものであっても良い。
【００２０】
また光学フィルタ素子６は回折格子によって構成されていても良い。例えば、一般に矩形状の格子溝断面を持つ回折格子の場合、回折格子の格子溝幅をｗ、格子周期をｐ、格子溝深さをｈ、回折格子を刻んでいる透明部材の屈折率をｎ、光ビームの波長をλと定義すると、０次光の光強度Ｉ０、＋１次光（または−１次光）の光強度Ｉ１は、入射光の光強度を１とした場合、（数３）のように表す事が出来る。
【００２１】
【数３】
2004295954.tif 000003
【００２２】
ここで（数３）におけるβの値がとる範囲は、０＜β＜１である事を考えると、βの値が０．５に近いほど、つまり格子溝幅ｗが格子周期ｐの半分の長さに近づくほど、±１次光の光強度は強くなり、逆に０次光の光強度は弱くなることがわかる。
【００２３】
そこで本実施例では、例えば光学フィルタ素子６を回折格子によって構成する場合、光学フィルタ素子６の中心部付近では格子溝幅を格子周期の半分の長さに近づけ、外縁部付近では格子溝幅を格子周期の半分の長さから遠ざけた様な回折格子を用いる。この様な回折格子を用いると、図６（ａ）に示すように中心部付近の回折効率が高くなるため、中心部付近の光が回折によって散乱する。ここで光ディスク上には０次光の光ビームを集光させるが、対物レンズに入射する中心部付近の光量は回折によって低減することから、前述したような超解像の現象が表れて、光ディスク上の光スポットを小さく絞ることができる。ゆえに光学系の倍率が低くてもＤＶＤ側における光ディスク上の光スポットサイズを十分に小さく絞る事ができる。
【００２４】
一方、入射する光ビームの波長λに対して（数３）に示したαの値が２πの整数倍となるように格子溝深さｈを設定すると、±１次光の回折効率を略零にでき、０次光のみを発生させることができる。そのため本実施例において、光学フィルタ素子６を回折格子によって構成する場合、例えば回折格子の溝深さは波長７８０ｎｍ帯の光ビームに対しては（数３）に示したαの値が２πの整数倍となるように格子溝深さを設定する。このように格子溝深さを設定する事で、図６（ｂ）に示すように波長７８０ｎｍ帯の光ビームに対しては、略全透過または略一定の透過率を確保する事が出来る。
【００２５】
なお光学フィルタ素子６の領域のうち、中心部近傍の領域と外縁部近傍の領域との間の領域における格子溝幅の変化は、１段階の変化であっても良いし、多段階の変化であっても良いし、または連続的に変化しても構わない。
【００２６】
以上、光学フィルタ素子６を回折格子によって構成する場合、図６に示した特性を実現する方法として、格子溝幅と格子溝深さの設定によって実現する方法を示した。しかし本発明は、これに限定されるものではない。例えば偏光の違いを用いて、図６に示した特性を実現しても一向に構わない。
【００２７】
また本実施例では図１に示すように、ＤＶＤ用とＣＤ用で半導体レーザ光源を別々に配置しているが、本発明は、これに限定されるものでは無い。図７に示すように半導体レーザ光源として、発振波長が６５０ｎｍ帯の半導体レーザ光源１ａと、発振波長が７８０ｎｍ帯の半導体レーザ光源１ｂを同一の筐体内に設けたマルチレーザ光源１としても一向に構わない。
【００２８】
また本実施例では図１および図７に示すように、光学フィルタ素子６は例えば対物レンズ７と共にレンズホルダ１０に搭載されており、コイル８と磁気回路部９で構成されるアクチュエータによって対物レンズと共に一体で駆動するものとしているが、本発明は、これに限定されるものでは無い。例えば光学フィルタ素子６をアクチュエータのような可動部ではなく固定部、つまりコリメートレンズ５の上などに取り付けても良いし、３スポット用回折格子２などに取り付けても良い。
【００２９】
また本実施例において光学系の倍率は、例えば略４．０乃至５．０倍に設定されているものとしても良い。
【００３０】
続いて、図８は本発明の光ピックアップ装置に関する第２の実施例を示したものである。本実施例においては、光学フィルタ素子６を反射面に取り付けている事を特徴としている。
【００３１】
本実施例において光学フィルタ素子６は、例えば波長６５０ｎｍ帯の光ビームに対する反射率を場所によって変化させており、中心部付近に比べて外縁部付近の反射率を高く設定している。これによって前記第１の実施例と同様、対物レンズに入射する光ビームの光強度分布をフラットに近づけ、さらには超解像の現象を利用することで、ＤＶＤ側における光ディスク上の光スポットを小さく絞る事ができる。
【００３２】
なお本実施例において、波長７８０ｎｍ帯の光ビームに対する光学フィルタ素子６の反射率は、特に場所によって変化させる必要は無く、例えば波長７８０ｎｍ帯の光ビームを略全反射または略一定の反射率となる様に設定している。このような光学フィルタ素子６は、例えば誘電体多層膜によって構成されるものであっても良いし、回折格子によって構成されていても良い。
【００３３】
さらに前記第１の実施例と同様、半導体レーザ光源としては図９に示すように、発振波長が６５０ｎｍ帯の半導体レーザ光源１ａと、発振波長が７８０ｎｍ帯の半導体レーザ光源１ｂを同一の筐体内に設けたマルチレーザ光源１を用いても一向に構わない。
【００３４】
続いて、図１０は本発明の光ピックアップ装置に関する第３の実施例を示したものである。なお本実施例においては、３スポット用回折格子２における格子溝幅を場所によって変化させている事を特徴としている。
【００３５】
前述したように、格子溝幅ｗが格子周期ｐの半分の長さに近づくほど、±１次光の光強度は強くなり、逆に０次光の光強度は弱くなる。そこで本実施例では、３スポット用回折格子の格子溝幅を図１１に示すように、格子溝の方向に沿って、中心部付近では格子溝幅を格子周期の半分の長さに近づけ、外縁部付近では格子溝幅を格子周期の半分の長さから遠ざけている。そのため３スポット用回折格子２の中心部付近に比べて、外縁部付近の方が±１次光の回折効率が低くなる。
【００３６】
ゆえに０次光の光ビームに対しては、中心部付近の光をフィルタリングして光量を低減させた事に相当するので、前述したように０次光の光ビームに対しては超解像の効果によって光ディスク上の光スポットを小さく絞ることができる。これによって、光学系の倍率が低くてもＤＶＤ側における光ディスク上の光スポットサイズを十分に小さく絞る事ができる。
【００３７】
なお格子溝幅の変化は、図１１（ａ）に示すように１段階の変化であっても良いし、図１１（ｂ）に示すように多段階の変化であっても良いし、または図１１（ｃ）に示すように連続的に変化しても構わない。
【００３８】
また格子溝幅の変化の方向は、格子溝に沿う方向に限定される訳ではなく、例えば図１２に示すように、格子溝に沿う方向と垂直な方向に変化させても良い。ここで格子溝幅の変化は図１２（ａ）に示すように１段階の変化であっても良いし、図１２（ｂ）に示すように多段階の変化であっても良い。
【００３９】
さらに例えば図１３に示すように、格子溝に沿う方向ならびに格子溝に沿う方向と垂直な方向ともに、中心部付近では格子溝幅を格子周期の半分の長さに近づけ、外縁部付近では格子溝幅を格子周期の半分の長さから遠ざけるような設定にしても構わない。
【００４０】
また本実施例において３スポット用回折格子２は、図１４に示すように両面に格子を刻んでも良い。この場合、表側の回折格子２ａは例えば波長６５０ｎｍ帯の光ビーム用とし、その溝深さは波長７８０ｎｍ帯の光ビームに対して（数３）に示したαの値が２πの整数倍となるように格子溝深さを設定する。さらに裏側の回折格子２ｂは例えば波長７８０ｎｍ帯の光ビーム用とし、その溝深さは波長６５０ｎｍ帯の光ビームに対して（数３）に示したαの値が２πの整数倍となるように格子溝深さを設定する。
【００４１】
このように格子溝深さを設定する事で、回折格子２ａにおいては波長７８０ｎｍ帯の光ビームに影響を与えずに、波長６５０ｎｍ帯の光ビームに対して３ビームを生成する事ができ、かつ回折格子２ｂにおいては波長６５０ｎｍ帯の光ビームに影響を与えずに、波長７８０ｎｍ帯の光ビームに対して３ビームを生成する事ができる。なお回折格子２ａの格子溝幅に関しては、例えば図１１乃至図１３に示したパターンにする事で、光学系の倍率が低くてもＤＶＤ側における光ディスク上の光スポットサイズを十分に小さく絞る事ができる。
【００４２】
続いて、本発明の光ピックアップ装置を搭載した光ディスク装置の概略ブロック図を図１５に示す。光ピックアップ装置７０は、例えば図１や図７乃至図１０に示すような構成であり、光ピックアップ装置７０により検出された各種検出信号は、信号処理回路内のサーボ信号生成回路７４及び情報信号再生回路７５に送られる。サーボ信号生成回路７４では、これら検出信号から各光ディスクに適したフォーカスエラー信号やトラッキングエラー信号が生成され、これを基にアクチュエータ駆動回路７３を経て光ピックアップ装置７０内の対物レンズアクチュエータを駆動し、対物レンズの位置制御を行う。
【００４３】
また情報信号再生回路７５では前記検出信号から光ディスク１００に記録された情報信号が再生される。なお前記サーボ信号生成回路７４及び情報信号再生回路７５で得られた信号の一部はコントロール回路７６に送られる。コントロール回路７６は、これら各種信号を用いて、その時再生しようとしている光ディスク１００の種類を判別し、レーザ点灯回路７７を駆動させる。なおコントロール回路７６にはアクセス制御回路７２とスピンドルモータ駆動回路７１が接続されており、それぞれ光ピックアップ装置７０のアクセス方向位置制御や光ディスク１００のスピンドルモータ６０の回転制御が行われる。
【００４４】
【発明の効果】
本発明によれば、複数種類の光ディスク、例えばＤＶＤ／ＣＤを再生又は記録するための光ピックアップ装置又はそれを搭載した光ディスク装置において、光学系の倍率を例えばＣＤにとって最適な倍率である略４．０乃至５．０倍に設定した場合でも、他方のＤＶＤ側における光ディスク上の光スポットサイズを小さく絞ることができる。
【図面の簡単な説明】
【図１】光ピックアップ装置に関する第１の実施例を示した図
【図２】透過率の変化が１段階の変化である光学フィルタ素子を通過した光ビームの光強度分布を表す図
【図３】透過率の変化が多段階の変化である光学フィルタ素子を通過した光ビームの光強度分布を表す図
【図４】対物レンズに入射する光ビームの光強度分布がフラットな場合における光ディスク上の光スポットの光強度分布を表す図
【図５】対物レンズに入射する光ビームの光強度分布が中心部に比べて外縁部の方が強度の高い場合における光ディスク上の光スポットの光強度分布を表す図
【図６】回折格子によって構成された光学フィルタ素子を表す図
【図７】マルチレーザ光源を用いた場合の光ピックアップ装置を表す図
【図８】光ピックアップ装置に関する第２の実施例を示した図
【図９】マルチレーザ光源を用いた場合の光ピックアップ装置を表す図
【図１０】光ピックアップ装置に関する第３の実施例を示した図
【図１１】格子溝に沿う方向において格子溝幅を変化させた回折格子を示す図
【図１２】格子溝に沿う方向に対して垂直な方向において格子溝幅を変化させた回折格子を示す図
【図１３】格子溝に沿う方向および、格子溝に沿う方向に対して垂直な方向ともに格子溝幅を変化させた回折格子を示す図
【図１４】両面に格子を刻んだ３スポット用回折格子を示した図
【図１５】本発明における光ディスク装置に関する実施例を示した図
【図１６】光学系の倍率を説明する図
【符号の説明】
１・・・マルチレーザ光源、１ａ，１ｂ，１２，１３・・・半導体レーザ光源、２，２００ａ，２００ｂ・・・回折格子、３，３ａ，３ｂ・・・ビームスプリッタ、４・・・立ち上げミラー、５・・・コリメートレンズ、６・・・光学フィルタ素子、７・・・対物レンズ、８・・・コイル、９・・・磁気回路部、１０・・・レンズホルダ、１１・・・光検出器、２０，２１，２２・・・光強度分布、３０・・・集光光学系、３１・・・コリメート光学系、６０・・・スピンドルモータ、７０・・・光ピックアップ装置、７１・・・スピンドルモータ駆動回路、７２・・・アクセス制御回路、７３・・・アクチュエータ駆動回路、７４・・・サーボ信号生成回路、７５・・・情報信号再生回路、７６・・・コントロール回路、７７・・・レーザ点灯回路、１００・・・光ディスク
【図１】
2004295954.tif 000006
【図２】
2004295954.tif 000007
【図３】
2004295954.tif 000008
【図４】
2004295954.tif 000009
【図５】
2004295954.tif 000010
【図６】
2004295954.tif 000011
【図７】
2004295954.tif 000012
【図８】
2004295954.tif 000013
【図９】
2004295954.tif 000014
【図１０】
2004295954.tif 000015
【図１１】
2004295954.tif 000016
【図１２】
2004295954.tif 000017
【図１３】
2004295954.tif 000018
【図１４】
2004295954.tif 000019
【図１５】
2004295954.tif 000020
【図１６】
2004295954.tif 000021